(57)【要約】【課題】乾燥性能の低下を抑えつつ騒音の低下を図ることのできる手乾燥装置を提供すること。【解決手段】手乾燥装置は、外側に向かって開口する手挿入部と、手挿入部を構成する第１の壁面に配置されてスリット状のノズル孔５が形成されたノズルとを備え、ノズル孔５から噴出した空気流により手に付着した水分を払拭する手乾燥装置であって、ノズル孔の幅方向に延びるように、ノズル孔の内壁面に設けられた突起部１４をさらに備える。【選択図】図３
2013085563.tif 000002
【特許請求の範囲】
【請求項１】
外側に向かって開口する手挿入部と、前記手挿入部を構成する第１の壁面に配置されてスリット状のノズル孔が形成されたノズルとを備え、前記ノズル孔から噴出した空気流により手に付着した水分を払拭する手乾燥装置であって、
前記ノズル孔の幅方向に延びるように、前記ノズル孔の内壁面に設けられた突起部をさらに備えることを特徴とする手乾燥装置。
【請求項２】
前記手挿入部は、前記第１の壁面に対向する第２の壁面を有して構成され、
前記ノズルおよび前記突起部は、前記第２の壁面にも設けられることを特徴とする請求項１に記載の手乾燥装置。
【請求項３】
前記突起部は、前記ノズル孔の幅方向全体にわたって設けられることを特徴とする請求項１または２に記載の手乾燥装置。
【請求項４】
前記突起部は、前記突起部の延びる方向と平行となる方向から見た断面形状が略矩形形状であることを特徴とする請求項１〜３のいずれか１つに記載の手乾燥装置。
【請求項５】
前記突起部は、前記突起部の延びる方向と平行となる方向から見た断面形状が略三角形形状であることを特徴とする請求項１〜３のいずれか１つに記載の手乾燥装置。
【請求項６】
前記突起部は、前記突起部の延びる方向と平行となる方向から見た断面形状が略平行四辺形形状であり、前記ノズル孔の内壁面から離れた鋭角部が、前記ノズル孔の先端方向に向けて配置されることを特徴とする請求項１〜３のいずれか１つに記載の手乾燥装置。
【請求項７】
前記ノズル孔の内壁面は、前記ノズル孔の先端から上流側に向けて互いに略平行となるように対向する平行面と、前記平行面からさらに上流に向けて互いの間隔が広がる離間面とを有して構成され、
前記突起部は、前記平行面と前記離間面との境界の近傍に設けられることを特徴とする請求項１〜６のいずれか１つに記載の手乾燥装置。
【発明の詳細な説明】
【技術分野】
【０００１】
本発明は、ノズル孔から噴き出される空気流によって、濡れた手を乾燥させる手乾燥装置に関する。
【背景技術】
【０００２】
ノズル孔から噴き出される空気流により濡れた手を乾燥させる手乾燥装置は、ペーパータオルやレンタルタオルと比べ、ランニングコストが安く、非接触で使用できるため衛生的であり、省メンテナンス性に優れるなどの特長がある。
【０００３】
しかしながら、手乾燥装置は、ファン等により生成される空気流を吹出し口（以下に記載するノズル孔に相当）から噴出させるものであり、乾燥性能を高めるために空気流を高速化すると、騒音が増加するという課題があった。
【０００４】
また、上記の課題を解決する手乾燥装置として、例えば特許文献１には、噴出口を形成する壁面の内側に、空気流の流れ方向に伸びる複数の凹部（および凸部）を形成させた噴出口を具備する手乾燥装置が開示されている。さらに、上記の課題を解決する別の手乾燥機として、例えば特許文献２には、噴出口内部の側面に三角錐状の突起を複数設けた噴出口を具備する手乾燥機が開示されている。
【先行技術文献】
【特許文献】
【０００５】
【特許文献１】国際公開第２００７／０２０６９９号
【特許文献２】特開２００７−１５１８５８号公報
【発明の概要】
【発明が解決しようとする課題】
【０００６】
しかしながら、特許文献１のような手乾燥装置においては、流れ方向に複数の凹部（または凸部）が存在するため、上流側で発生した乱れが下流の凹部（または凸部）に衝突し、さらに乱れが増幅される場合がある。このような流れが出口まで複数回繰り返されることによって、乱れの存在する領域は下流に行くほど拡大し、流路として機能する有効幅は狭くなる。その結果、流れの抵抗が大きくなり、流量が低下し、所望の乾燥性能を得られないという問題があった。
【０００７】
また、特許文献２のような手乾燥機においては、縦渦を発生させるためには、三角錐状の突起にある程度の高さが必要であり、突起が流路を閉塞する抵抗となり、乾燥に必要な流量が十分でなくなる場合がある。また、縦渦は微小な変動を繰り返すため、縦渦の変動によってノズルの壁面に圧力変動が生じると、その圧力変動が騒音となり、騒音を低減できない場合がある。
【０００８】
本発明は、上記に鑑みてなされたものであって、乾燥性能の低下を抑えつつ騒音の低下を図ることのできる手乾燥装置を提供することを目的としてする。
【課題を解決するための手段】
【０００９】
上述した課題を解決し、目的を達成するために、本発明は、外側に向かって開口する手挿入部と、手挿入部を構成する第１の壁面に配置されてスリット状のノズル孔が形成されたノズルとを備え、ノズル孔から噴出した空気流により手に付着した水分を払拭する手乾燥装置であって、ノズル孔の幅方向に延びるように、ノズル孔の内壁面に設けられた突起部をさらに備えることを特徴とする。
【発明の効果】
【００１０】
本発明によれば、ノズル孔の幅方向に延びるように、ノズル孔の内壁面に突起部を設けることで、乾燥性能の低下を抑えつつ騒音の低減を図ることができるという効果を奏する。
【図面の簡単な説明】
【００１１】
【図１】図１は、本発明の実施の形態１にかかる手乾燥装置の概略構成を示す側断面図である。
【図２】図２は、図１に示す手乾燥装置の外観斜視図である。
【図３】図３は、ノズル孔の部分拡大断面図である。
【図４】図４は、ノズル孔の部分拡大斜視図である。
【図５】図５は、ノズル孔の部分拡大断面図であって、突起の他の形状例を示す図である。
【図６】図６は、ノズル孔の部分拡大断面図であって、突起のさらに他の形状例を示す図である。
【図７】図７は、本発明の実施の形態２にかかる手乾燥装置のノズル孔の部分拡大断面図である。
【図８】図８は、本発明の実施の形態３にかかる手乾燥装置の縦断面図である。
【発明を実施するための形態】
【００１２】
以下に、本発明の実施の形態にかかる手乾燥装置を図面に基づいて詳細に説明する。なお、この実施の形態によりこの発明が限定されるものではない。
【００１３】
実施の形態１．
図１は、本発明の実施の形態１にかかる手乾燥装置の概略構成を示す側断面図である。図２は、図１に示す手乾燥装置の外観斜視図である。なお、以下に説明する全ての図面において、紙面上部を手乾燥装置またはその構成部分の上部とし、紙面下部を手乾燥装置またはその構成部分の下部として説明する。
【００１４】
図１に示すように、本発明の実施の形態１における手乾燥装置は、手乾燥装置本体の外郭をなす箱体１と、箱体１の上面および側面を開放して挿通自在に空けられた手挿入部２を備えている。
【００１５】
ここで、図２に示すように、手挿入部２の両側面における開口部２ａ、２ｂは、手が挿入しやすいように開放されている。なお、両側の開口部２ａ、２ｂは、塞がれていてもよく、開放されていた場合と同等の乾燥性能を得ることができる。
【００１６】
また、この手挿入部２の内壁には例えば、シリコン系もしくはフッ素系等の撥水性コーティング、酸化チタン等の親水性を有するコーティング、又は抗菌剤を含浸させる。これにより、内面に汚れが付着するのを軽減することや、細菌が繁殖するのを低減したりすることが図られている。
【００１７】
また、図１に示すように、手挿入部２の互いに対向する壁面のうち、正面側の壁面（第１の壁面）にノズル４ａが設けられており、背面側の壁面（第２の壁面）にノズル４ｂが設けられている。そして、ノズル４ａおよびノズル４ｂは、互いに対向する位置および角度に設けられている。
【００１８】
そして、ノズル４ａおよびノズル４ｂには、波状でスリット形状に開口されたノズル孔５が形成されている。そして、空気流がノズル孔５を通過して手挿入部２に流出することで手を乾燥させることができる。また、２つのノズル４ａ，４ｂが対向するように設けられているため、手挿入部２に挿入した手（図示せず）の甲側と掌側の双方に風を同時に当てることができる。なお、手乾燥時間をより短縮できるように、ノズル４ａおよび４ｂの間隔や風速等が設定されている。
【００１９】
ノズル孔５から手挿入部２に空気を流出させるため、ノズル孔５の入口側の圧力を高くする必要がある。そのための加圧装置として、図１に示すように、箱体１の内部にブロア６（空気流発生部）が設置されている。
【００２０】
ブロア６は、主にモーターとファンによって構成される。また、ブロア６の一例として、ＤＣブラシレスモーターを駆動させるための駆動回路（図示せず）と、ＤＣブラシレスモーターによって回転するターボファン（図示せず）とにより構成されるものがある。
【００２１】
箱体１の内部では、ブロア６によって、ブロア６よりも上流側の上流側空間８と下流側の下流側空間７とに仕切られている。吸気口９から流入する空気は、ブロア６によって高圧の空気流となる。そして、ブロア６から流出する空気流は、下流側の下流側空間７において２つの経路に分岐して、各々のノズル孔５に流入する。
【００２２】
なお、ブロア６の上流側である上流側空間８は、曲がり流路になっている。これにより、吸気口９から流入する空気にとってわずかな抵抗にはなるが、ブロア６で発生した騒音が周囲に放射されにくくなる効果を有する。また、手挿入部２の底面には、手から飛散した水を排水する排水口（図示せず）が設けられており、排水口には排水管（図示せず）が接続され、排水管にはここから流出するドレン水を溜めるドレンタンク（図示せず）が接続されている。
【００２３】
また、手挿入部２の入口近傍の正面側および背面側並びに手挿入部２の下部の正面側および背面側には手を検知するセンサー（図示せず）が配置されている。そして、制御回路（図示せず）は、このセンサーからの信号を処理し、その処理結果に基づいてブロア６の運転等を適宜制御している。
【００２４】
なお、本実施の形態１における手乾燥装置の全体構成は、上記に限られるものではなく、ノズル孔５から空気流を噴出させて、濡れた手を乾燥させることができる構成であればよい。
【００２５】
次に、本実施の形態１における手乾燥装置の動作について説明する。例えば、手挿入部２へ濡れた手が挿入され、その手をセンサーが検出すると、制御回路（図示せず）へ手検出信号が送られる。そして制御回路は、ブロア６を始動させ、ターボファン（図示せず）が回転する。
【００２６】
そして、吸気口９から吸い込まれた空気流は、上流側空間８を通過しブロア６に流入し、ブロア６により高圧の空気流になる。そして、高圧になった空気流は、下流側空間７で２つに分岐し、ノズル４ａおよび４ｂに設けられたノズル孔５から噴出される。
【００２７】
噴出された空気流は、手挿入部２に挿入された手の甲側と掌側の双方に当たり、手に付いた水を飛散および気化させる。そして、使用者の手が手挿入部２から抜けると、センサーの手検出信号がなくなり、制御回路はブロア６を停止させる。
【００２８】
上記の手乾燥装置において、騒音を発生する要素として、静止した壁面近傍を高速な空気流が流れるノズル孔５、各々のノズル孔５から噴出した高速な空気流が衝突する手挿入部２、高速回転体を有するブロア６の３つがある。
【００２９】
ブロア６は、箱体１の内部に収納されているため、他の２つよりも騒音のオーバーオール値に与える影響は小さい。そのため、手乾燥装置の騒音を低減するためには、ノズル孔５および手挿入部２での騒音を低減する必要がある。ここで、ノズル孔５における騒音およびノズル孔５から噴出した高速な空気流が、手挿入部２で衝突することによる騒音は、ノズル孔５の形状による影響が大きい。
【００３０】
図３は、ノズル孔５の部分拡大断面図である。図４は、ノズル孔５の部分拡大斜視図である。なお、ノズル孔５の正面形状は、上述したように波状のスリット形状であるが、図４においては図面の簡略化のため、直線状のスリット形状として示している。
【００３１】
ブロア６によって送られてくる空気は、ノズル孔５の上流側に到達する。上流側には、空気がスムーズにノズル孔５に流入するように、少しずつノズル孔５の隙間のサイズが変更されるＲ部（離間面）１３が形成されている。Ｒ部１３同士は、ノズル孔５において、上下に対向するように設けられている。Ｒ部１３同士は、下流に向けて互いの間隔が狭くなり、上流に向けて互いの間隔が広がる。
【００３２】
仮に、Ｒ部１３がないノズル孔では、空気がスムーズにノズル孔５に流入しないため、上流側に剥離域という主流１５の流路面積を縮小するような領域が形成され、圧力損失が大きくなり、流量が低下し、所望の乾燥性能を得られなくなる。
【００３３】
Ｒ部１３により少しずつ増速した空気は、直線部（平行面）１７に到達する。直線部１７は、Ｒ部１３の下流側に連続して設けられており、対向する直線部１７同士が互いに略平行となっている。
【００３４】
この直線部１７によって、出口１０において主流１５が噴出する方向が決定される。本実施の形態においては、直線部１７が略平行に対向しているため、直線部１７の平行方向とは異なる方向を向いた主流１５内の流れの成分が出口に向かうほど消滅し、直線部１７と平行な方向に出口１０で気流が噴出される。
【００３５】
微小な突起（突起部）１４は、この直線部１７の始まりや、Ｒ部１３と直線部１７の交わるあたり、すなわち直線部１７とＲ部１３との境界の近傍に設置される。微小な突起１４が大きいと、上述した剥離域が形成された流れの状態と同じように流れの抵抗となり、流量を低下させてしまう。
【００３６】
よって、突起１４の高さは、流れの抵抗にならない程度が好ましく、突起１４が設けられる部分の直線部１７同士の隙間またはＲ部１３同士の隙間の間隔の２０％以下とすることが好ましい。
【００３７】
図５は、ノズル孔５の部分拡大断面図であって、突起１４の他の形状例を示す図である。図６は、ノズル孔５の部分拡大断面図であって、突起１４のさらに他の形状例を示す図である。図３では、突起１４の延びる方向と平行となる方向から見た断面形状が略矩形形状となる突起１４を例示しているが、図５に示すような平行四辺形形状や、図６に示すような三角形形状など、頂点を有する形状であれば採用することができる。なお、この理由については後述する。
【００３８】
次に、突起１４を設置することで騒音が低減される効果について説明する。高速な気流がノズル孔５から噴出するときに発生する騒音の源は、大きく分けると三つある。一つ目は、ノズル孔５の表面に形成される境界層から発生する境界層騒音である。二つ目は、ノズル孔５の下流側出口から放出される渦の放出によって発生する渦騒音である。三つ目は、ノズル孔５から噴出された気流のうち攪拌の影響を受けないポテンシャルコアの主流とその周囲の静止した空気との速度差によって生じた乱流拡散層のせん断流から発生する噴流騒音である。
【００３９】
ここで、渦騒音に着目する。ノズル孔５のＲ部１３や直線部１７の表面には、主流１５よりも速度の遅い境界層が形成される。主流１５の速度は、ノズル孔５の隙間の縮小に伴って少しずつ増加するため、静止したＲ部１３や直線部１７との速度差が大きくなり、境界層も少しずつ厚くなる。
【００４０】
そして、ノズル孔５の先端１６で境界層は消滅する。境界層内の流れは、一般的には、上流側で、平面と同じ方向を向いた流れからなる層流境界層であるが、下流のある箇所で、無秩序に流れが向いた乱流境界層に遷移するといわれている。上述したような突起１４が設置されていない場合には、ノズル孔５は流れ方向に短いため、Ｒ部１３や直線部１７に層流境界層が形成されている。
【００４１】
渦騒音は、ノズル孔５の出口の静止した空気とノズル孔５の先端１６と大きな速度差があり、先端１６のごく近傍の速度の変動が要因となって発生する。その速度の変動には、ノズル孔５の壁面に形成される境界層の様相が大きく関係している。層流境界層の場合、先端１６のごく近傍の速度の変動の周期（位相）が、ノズル孔５の幅方向１８に揃いやすい。位相が揃うと発生する音が重なり合うため、騒音が増加しやすくなる。
【００４２】
一方、境界層内が乱流の場合、境界層内の無秩序さによって、先端１６の近傍の速度の変動の周期（位相）が、ノズル孔５の幅方向１８にばらばらになりやすい。位相がばらばらになると発生する音が重なり合わず、騒音の低減を図ることができる。
【００４３】
本発明の形態の矩形の微小な突起１４が、ノズルの直線部１７とＲ部１３の境界や、直線部１７の始まり近傍に設けられた場合、Ｒ部１３から発達してきた層流状態の境界層が微小な突起１４において乱流化する。いったん乱流化した境界層は、層流化しないため、ノズル孔５の先端１６の近傍まで乱流状態を保ち、上記したように渦騒音を低減することができる。
【００４４】
ここで、簡単に乱流化するメカニズムを説明する。突起１４の後流側には剥離域が形成される。剥離域には小さな乱れが複数存在し、剥離域は下流側に向かって伸びている。複数の渦の影響で、その剥離域は微妙に大きさを変えながら存在しており、その周囲を流れる境界層内の流れも不安定となり、乱れを発生して乱流化する。
【００４５】
よって乱流化を促進するには、剥離域を形成する必要があり、突起１４の形状の角部ができるだけシャープなほうがよい。仮に、角部に大きなＲがついている場合、流れが突起１４に沿って流れやすくなり、剥離域を生じず、境界層が乱流化されない可能性がある。突起１４が略平行四辺形形状である場合（図５も参照）や、略三角形形状である場合（図６も参照）の角部（頂点）も同様に、できるだけシャープなほうがよい。また突起１４の形状が略平行四辺形である場合には、ノズル孔５の内壁面から離れた鋭角部１４ａが、ノズル孔５の先端１６方向（流れの下流方向）に向けて配置されることが望ましい。
【００４６】
また、図４に示すように、突起１４は、ノズル孔５の幅方向の全体にわたって形成されているが、途中に切れ目などを設けても構わない。切れ目を設けて突起１４をところどころに存在するようにした場合も、突起１４が存在するところでは騒音低減効果を得られるため、突起１４がない場合よりも騒音を低減できる。しかし、騒音を低減する効果をより得るためには、ノズル孔５の幅方向１８の全域にわたって、微小な突起１４を設置することが望ましい。
【００４７】
さらに、ノズル孔５の直線部１７の始まり、または、直線部１７とＲ部１３の境界に突起１４を設置したほうがよいと先述したが、これは、突起１４をノズル孔５の先端１６に近づけて設置した場合、突起１４の後流側に形成される剥離域が、ノズル孔５の先端１６まで及んでしまう場合があるためである。剥離域がノズル孔５の先端１６まで及んでしまうと、空気が噴出される有効な隙間が縮小し（ノズル孔５の出口における有効な流路面積が減少し）、流量が低下することで、所望の乾燥性能を得られなくなってしまうためである。
【００４８】
また、直線部１７の始まり、または、直線部１７とＲ部１３の境界に突起１４を設置することによって、射出成型などで製造する場合、例えば、ノズル孔５の上流側の形状と突起１４の一方の側面を転写する金型と、ノズル孔５の下流側の形状と突起１４のもう一方の側面とを転写するような、ノズル孔５の流れ方向に分割された金型によって突起１４付きのノズルが製造でき、ノズル孔５の隙間が金型によって決定されるため、隙間の精度も高くなる。
【００４９】
以上説明したように、突起１４をノズル孔５の直線部１７の始まりや、直線部１７とＲ部１３との境界付近に、ノズル孔５の幅方向１８の全域にわたって設けることにより、流量の低下を抑えることで乾燥性能の低下を抑えつつ、騒音の低減を図ることができる。
【００５０】
なお、本実施の形態では、ノズル孔５の形状をスリット状とした場合について説明したが、ノズル孔５の形状が略円形形状でも、ノズル孔５の先端１６よりも上流側に突起１４を設置することで、同様の効果を発揮することは、境界層の乱れによる騒音の低減という点から言うまでもない。
【００５１】
実施の形態２．
図７は、本発明の実施の形態２にかかる手乾燥装置のノズル孔２５の部分拡大断面図である。なお、上記実施の形態と同様の構成については、同様の符号を付して詳細な説明を省略する。
【００５２】
ノズル孔２５の形状は、実施の形態１と同様にスリット状である。実施の形態１においては、ノズル孔５の内部が上下対称な形状であり、ノズル孔５の上流側の入口にＲ部１３が設置されていたが、本実施の形態２では、ノズル孔２５の内部の形状が上下で異なっている。
【００５３】
対向する直線部２７は、お互いに平行ではなく、長さも異なる。上側壁面２１の直線部２７よりも上流側にはテーパー部２０が設置されており、上流側に向けて流路の幅を広げている。一方、下側壁面２２の直線部２７は、上側壁面２１の直線部２７とお互いの法線方向が平行にならないように形成されている。
【００５４】
さらに、下側壁面２２の直線部２７の上流側には、Ｒ部２３が設置されている。上側壁面２１に対して、直線部２７とテーパー部２０との境界近傍であって直線部２７側となる位置に突起１４が設置される。テーパー部２０側に突起１４を設置した場合、直線部２７とテーパー部２０との境界付近で大きな剥離が生じ、流路を狭くし、流量を低下させ、乾燥性能を低下させるおそれがあるためである。
【００５５】
また、下側壁面２２には、実施の形態１と同様に、直線部２７とＲ部２３の境界近傍または、直線部２７の始まりの位置に突起１４が設置される。ノズル孔２５の先端２６から上側壁面２１の突起１４までの距離と、ノズル孔２５の先端２６から下側壁面２２の突起１４までの距離は異なるため、上流側から先端２６に向かって発達していく境界層の様相も上下非対称となる。
【００５６】
さらに、ノズル孔２５の内部の形状を上下で異ならせることで、ノズル孔２５の先端２６の近傍の境界層状態は、より非対称性が大きくなる。その結果、先端２６での速度や圧力の変動は、より不規則となり、騒音源となる圧力の変動の周期（位相）がばらばらになりやすく、より一層の騒音の低減を図ることができる。
【００５７】
さらに、実施の形態１と同様に、突起１４は、ノズル孔２５の隙間の２０％以下の高さとされ、ノズル孔２５の先端２６から離れているため、剥離によって、有効な流路面積の確保を図り、流量の低下を抑制することができる。そのため、所望の乾燥性能を得やすくなる。
【００５８】
実施の形態３．
図８は、本発明の実施の形態３にかかる手乾燥装置の縦断面図である。図８に示すように、外殻をなす箱体１０１は、正面に手挿入口１０２を有し、手挿入口１０２に続く処理空間として手挿入部１０３を備えており、手を挿抜できるようにしてある。
【００５９】
手挿入部１０３は、箱体１０１の正面下部に、正面と両側面が開放した開放シンク状の凹部として形成され、下部を形成する水受け部１０４と奥側とにはその端縁部に曲面構成の立上がりによる防壁構造１０５が設けられ、側方や前方に水が飛散しないようになっている。水受け部１０４の底部は前方に向かって下傾していて、その傾斜下端に排水口１０６が設けられている。
【００６０】
水受け部１０４の下方には排水口１０６から滴下する水を貯留するドレン容器１０７が抜き差し自在に設けられている。なお、手挿入部１０３の内面には、シリコン系もしくはフッ素系等の撥水性コーティング、酸化チタン等の親水性を有するコーティング、または抗菌剤が含浸され、内面に汚れが付着するのを軽減したり、細菌が繁殖するのを低減するようにしてある。
【００６１】
箱体１０１内には高圧空気流発生装置１０８が組み込まれており、ＤＣブラシレスモーター（通常の整流子モーターまたは誘導電動機であってもよい）と、これを駆動させる駆動回路およびＤＣブラシレスモーターによって回転するターボファンとにより構成されて、箱体１０１の手挿入部１０３の真上に取り付けられている。
【００６２】
高圧空気流発生装置１０８の吸気側は、箱体１０１の背面側であって手挿入部１０３の奥側背面に近接して縦方向に設けられた下端の開放した吸気通路１１０に臨んでおり、吸気通路１１０の下端から着脱可能のエアーフィルター１１１を通じて空気を吸込むことができるようになっている。
【００６３】
高圧空気流発生装置１０８の吹出口は、円形カップ状のファンケーシングの外周に、周方向に間隔を置いて、複数個が半径方向に向かって開設されている。このファンケーシングの外側は、ターボファンの回転方向に沿う方向に誘導路を設けた円形カップ状のケーシング１０９によって覆われ、ケーシング１０９の誘導路の端に、高圧空気流発生装置１０８から送られてくる高圧空気を高速の気流に変換して手挿入部１０３に吹出すノズルが接続されている。
【００６４】
ノズル１１２は、手挿入部１０３の手挿入口近傍の上部に噴出口を下向きにして取付けられており、ノズル１１２に形成されたノズル孔１１５から手挿入部１０３内に挿入した手に付着した水分を吹飛ばす高速の気流を吹付け、手を摺り合わせることなく水滴を手の表面から剥離して吹飛ばす。なお、ノズルの背後には、手挿入部１０３に面して手の挿抜を検知する手検知センサー１１４が設けられている。
【００６５】
ノズル１１２に形成されたノズル孔１１５は箱体１０１の幅方向（図８の紙面の奥行き方向）に配向して、例えば実施の形態１と同様に波状のスリット形状に形成されている。ノズル孔１１５は、箱体１０１の前後方向（図８の紙面の左右方向）に複数列、本実施の形態３では２列設けられて、第１、第２の吹出し孔１１３ａ、１１３ｂによって構成される。なお、ノズル孔１１５が１列であってもよい。
【００６６】
このような構成を持つ手乾燥装置の騒音は、ノズル孔１１５から発生する渦騒音や噴流騒音、および、噴流が手挿入部に衝突して発生する衝突音が支配的である。よって、図８では図示を省略しているが、ノズル孔１１５の内部形状や突起の設置について、実施の形態１や実施の形態２で説明したように構成することで（図３、図５、図６、および図７を参照）、ノズル孔１１５から発生する渦騒音の低減を図り、流量の低下を抑えて乾燥性能の低下を抑えつつ、騒音の低減を図ることができる。
【産業上の利用可能性】
【００６７】
以上のように、本発明にかかる手乾燥装置は、ノズル孔から噴き出される空気流によって、濡れた手を乾燥させる手乾燥装置に有用である。
【符号の説明】
【００６８】
１  箱体
２  手挿入部
２ａ，２ｂ  開口部
４ａ，４ｂ  ノズル
５  ノズル孔
６  ブロア
７  下流側空間
８  上流側空間
９  吸気口
１０  出口
１３  Ｒ部（離間面）
１４  突起（突起部）
１４ａ  鋭角部
１５  主流
１６  先端
１７  直線部（平行面）
１８  幅方向
２０  テーパー部
２１  上側壁面
２２  下側壁面
２５  ノズル孔
２６  先端
２７  直線部
１０１  箱体
１０２  手挿入口
１０３  手挿入部
１０４  水受け部
１０５  防壁構造
１０６  排水口
１０７  ドレン容器
１０８  高圧空気流発生装置
１０９  ケーシング
１１０  吸気通路
１１１  エアーフィルター
１１２  ノズル
１１３ａ  第１の吹出し孔
１１３ｂ  第２の吹出し孔
１１４  手検知センサー
１１５  ノズル孔
【図１】
2013085563.tif 000003
【図２】
2013085563.tif 000004
【図３】
2013085563.tif 000005
【図４】
2013085563.tif 000006
【図５】
2013085563.tif 000007
【図６】
2013085563.tif 000008
【図７】
2013085563.tif 000009
【図８】
2013085563.tif 000010